(57)【要約】【課題】安価に製作でき、しかも高い放射線遮蔽能力を備えながらも屈曲性を有する放射線遮蔽マットを提供する。【解決手段】ほぼ同一形状の２つのシート１１，１２を重ね合わせ、各シートの側縁部１３ａ，１３ｂに沿う帯状領域同士を溶着して構成され、それぞれのシート１１，１２には、側縁部１３ａ，１３ｂの延びる横方向Ｘに所定の間隔を開けて形成されかつ横方向に直交する縦方向Ｙに長い多数の袋部１４が形成され、各袋部１４には放射線遮蔽機能板１５が収納され、各シート１１，１２には、放射線遮蔽機能板１５を収納する袋部１４の長手方向各端部１４ａ，１４ｂと各側縁部１３ａ，１３ｂとの間に所定寸法幅の余裕代１６が形成され、２つのシート１１，１２は、放射線遮蔽機能板１５を収納した第１シート１１の各袋部１４の間隔部２２に、第２シート１２の各袋部１４に収納された放射線遮蔽機能板１５が位置するように向かい合って重ね合わされている。【選択図】図２
2011247666.tif 000002
【特許請求の範囲】
【請求項１】
放射線発生機器や放射線発生物から放射される放射線を遮蔽する放射線遮蔽マットにおいて、
対向する一対の側縁部をそれぞれ有するほぼ同一形状の第１シート及び第２シートと、前記第１シート及び前記第２シートに保持された複数の放射線遮蔽機能体とを備え、前記第１シート及び前記第２シートが、前記側縁部の延びる横方向に所定の間隔を開け、かつ前記横方向に直交する縦方向に長い多数の袋部と、前記各袋部の長手方向両端部のそれぞれと該各端部に隣接する前記側縁部との間に形成された所定寸法幅の余裕代とを備え、
前記第１シート及び前記第２シートそれぞれの前記各袋部が、前記両シートを重ね合わせたとき、一方の前記シートの前記各袋部と他方の前記シートの隣接する前記各袋部の前記間隔部とを対向させるように前記横方向に位相をずらして形成され、前記第１シートと前記第２シートの前記各袋部には、前記各放射線遮蔽機能体が収納され、
前記放射線遮蔽マットが、前記各袋部に前記放射線遮蔽機能体を収納した前記第１シートと前記第２シートとを重ね合わせて少なくとも前記第１シートと前記第２シートとの一方の前記側縁部同士及び他方の前記側縁部同士を接合して形成されていることを特徴とする放射線遮蔽マット。
【請求項２】
前記第１シートと前記第２シートとにおける一方の前記シートの前記各袋部に収納されている前記放射線遮蔽機能体が、他方の前記シートの前記各袋部に収納されている前記放射線遮蔽機能体に対してその側縁同士を部分的に重ね合わせるように、前記放射線遮蔽機能体の幅寸法及びその配列間隔が設定されている請求項１に記載の放射線遮蔽マット。
【請求項３】
前記第１シート及び前記第２シートの前記各袋部に収納された前記放射線遮蔽機能体が少なくとも１ｍｍ以上の厚さを有している請求項１又は２に記載の放射線遮蔽マット。
【請求項４】
前記第１シートと前記第２シートとのそれぞれは、可撓性を有する２枚のシート状素材を重ね合わせて構成され、前記各シートの前記袋部は、重ね合わされた２枚の前記シート状素材における前記放射線遮蔽機能体を収納する予定領域の周囲すべて若しくは一部を接合して形成され、前記袋部の少なくとも一部には、前記横方向に延びる入口部が形成され、前記放射線遮蔽マットは、前記入口部から前記袋部に前記放射線遮蔽機能体を収納した後に前記両シートが重なり合う前記側縁部同士を接合して形成されている請求項１〜３のいずれかに記載の放射線遮蔽マット。
【請求項５】
前記入口部が、前記第１シート及び前記第２シートが相互に重ね合わせられる対面側に形成され、前記放射線遮蔽機能体の取り出しを不能にされている請求項４に記載の放射線遮蔽マット。
【請求項６】
前記入口部が、前記第１シート及び前記第２シートが相互に重ね合わせられる対面側とは反対側に形成され、前記放射線遮蔽機能体を取り出して入れ替え可能にされている請求項４に記載の放射線遮蔽マット。
【請求項７】
前記放射線遮蔽機能体が、放射線を遮蔽する性質を有する材料の板状部材からなる放射線遮蔽機能板である請求項１〜６のいずれかに記載の放射線遮蔽マット。
【請求項８】
前記放射線遮蔽機能板が、前記縦方向における少なくとも１箇所で分割された複数の板から構成され、これらの分割板が、その分割された側の端部に形成された継ぎ手により旋回可能に連結され、前記放射線遮蔽マットが前記縦方向にも折り曲げ可能とされている請求項７に記載の放射線遮蔽マット。
【請求項９】
前記第１シート及び前記第２シートの前記各袋部に収納される前記放射線遮蔽機能板が、鉛、鉄、銅、亜鉛、タングステンのいずれかの素材からなる金属板若しくはこれら金属の粒子を樹脂又はゴムに分散した複合体で形成されている請求項７又は８に記載の放射線遮蔽マット。
【請求項１０】
前記放射線遮蔽機能体が、金属の粉末又は粒状物を前記第１シート及び前記第２シートの前記各袋部に詰め込まれて構成され、前記第１シート及び前記第２シートの前記各袋部に設けられた金属粉末又は粒状物を詰め込む前記入口部には落ちこぼれを防止する閉鎖手段が設けられている請求項４に記載の放射線遮蔽マット。
【請求項１１】
前記放射線遮蔽機能体として使用する前記金属板若しくは前記金属粉末又は粒状物が、原子力関係施設から出る廃材を加工処理したものである請求項９又は１０に記載の放射線遮蔽マット。
【発明の詳細な説明】
【技術分野】
【０００１】
本発明は、放射線遮蔽マットに関し、さらに詳細には、例えば、原子力発電所や原子力研究所、或いは放射性物質を取り扱う施設などでの使用に適する放射線遮蔽マットに関する。
【背景技術】
【０００２】
例えば、原子力発電所や放射性物質を取り扱う施設などでは、作業者を放射線の被曝から守るために放射線遮蔽マット或いはシートなどが用いられている。このようなシートは、作業者用の衣類に加工して使用したり、また放射性物質を入れた容器或いは装置などを囲んで周囲に放射線が漏れないように遮蔽体として使用される。かかる放射線遮蔽マット或いはシートは、簡易に使用するためのものであり、そのため持ち運びや保管が便利なように折り畳んだり丸めたりすることができるような構造であることが好ましい。
【０００３】
このような用途で使用可能な放射線遮蔽マットの一例として、特許文献１及び特許文献２に開示された技術が知られている。前者の特許文献１に開示された放射線防護マット及びその使用方法の発明は、強化された合成樹脂布を用いて袋体を形成し、この袋体の内部に水を入れて膨張させ、この膨張袋体により放射線発生機器や放射線発生物を覆うようにしたものである。
【０００４】
また、後者の特許文献２に開示された放射線遮蔽材及びこれを用いた放射線遮蔽用防護衣の発明は、タングステン粉末を主成分とする非鉛無機粉末、及び熱可塑性エラストマーを含有する、比重５以上の高比重シート及びその表裏両面に配置されるカバー材によって構成されたものである。高比重シートに用いられている熱可塑性エラストマーは、分子中に弾性を持つゴム成分（軟質相）と、塑性変形を防止するための分子拘束成分（硬質相）との両成分を持ち、常温ではゴム弾性体としての挙動をとるが、温度上昇によって塑性変形をする高分子材料のことである。
【先行技術文献】
【特許文献】
【０００５】
【特許文献１】特開平８−２１１１９２号公報
【特許文献２】特開２００４−０７７１７０号公報
【発明の概要】
【発明が解決しようとする課題】
【０００６】
しかしながら、特許文献１に開示された発明の放射線防護マットでは、袋体の内部に水を注入していない時は折り畳みが可能であるが、放射線防護マットとして使用する際には内部に水を入れて膨張させなければならず、非常に手間がかかる共に、その容積が大きく、非常に扱いづらい、という問題があった。しかも、この放射線防護マットでは、袋体の内部に注入した水により放射線を遮蔽するものであるため放射線の遮蔽能力が低い、という問題もあった。
【０００７】
また、特許文献２に開示された発明の放射線遮蔽材及びこれを用いた放射線遮蔽用防護衣では、タングステン粉末を主成分とする非鉛無機粉末、及び熱可塑性エラストマーを含有する、比重５以上の高比重シートを用いるため、この製造に非常に費用と時間が掛かり、簡易に使用する放射線遮蔽マットとしてはあまり適さない、という問題があった。
【０００８】
この発明の目的は、かかる従来の問題点を解決するためになされたもので、安価に製作することができ、しかも高い放射線遮蔽能力を備えながらも屈曲性を有する放射線遮蔽マットを提供することにある。
【課題を解決するための手段】
【０００９】
前述した技術的課題を解決するために本発明は以下のように構成されている。すなわち、本発明は、放射線発生機器や放射線発生物から放射される放射線を遮蔽する放射線遮蔽マットであり、その特徴とするところは、対向する一対の側縁部をそれぞれ有するほぼ同一形状の第１シート及び第２シートと、前記第１シート及び前記第２シートに保持された複数の放射線遮蔽機能体とを備え、前記第１シート及び前記第２シートが、前記側縁部の延びる横方向に所定の間隔を開け、かつ前記横方向に直交する縦方向に長い多数の袋部と、前記各袋部の長手方向両端部のそれぞれと該各端部に隣接する前記側縁部との間に形成された所定寸法幅の余裕代とを備え、前記第１シート及び前記第２シートそれぞれの前記各袋部が、前記両シートを重ね合わせたとき、一方の前記シートの前記各袋部と他方の前記シートの隣接する前記各袋部の前記間隔部とを対向させるように前記横方向に位相をずらして形成され、前記第１シートと前記第２シートの前記各袋部には、前記各放射線遮蔽機能体が収納され、前記放射線遮蔽マットが、前記各袋部に前記放射線遮蔽機能体を収納した前記第１シートと前記第２シートとを重ね合わせて少なくとも前記第１シートと前記第２シートとの一方の前記側縁部同士及び他方の前記側縁部同士を接合して形成されていることにある。
【００１０】
本発明の放射線遮蔽マットは、前述した必須の構成要素からなるが、その構成要素が具体的に以下のような場合であってもよい。その具体的構成とは、前記第１シートと前記第２シートとにおける一方の前記シートの前記各袋部に収納されている前記放射線遮蔽機能体が、他方の前記シートの前記各袋部に収納されている前記放射線遮蔽機能体に対してその側縁同士を部分的に重ね合わせるように、前記放射線遮蔽機能体の幅寸法及びその配列間隔が設定されている、ことである。
【００１１】
また、本発明の放射線遮蔽マットでは、前記第１シート及び前記第２シートの前記各袋部に収納された前記放射線遮蔽機能体が少なくとも１ｍｍ以上の厚さを有している。
【００１２】
さらに、本発明の放射線遮蔽マットでは、前記第１シートと前記第２シートとのそれぞれは、可撓性を有する２枚のシート状素材を重ね合わせて構成され、前記各シートの前記袋部は、重ね合わされた２枚の前記シート状素材における前記放射線遮蔽機能体を収納する予定領域の周囲すべて若しくは一部を接合して形成され、前記袋部の少なくとも一部には、前記横方向に延びる入口部が形成され、前記放射線遮蔽マットは、前記入口部から前記袋部に前記放射線遮蔽機能体を収納した後に前記両シートが重なり合う前記側縁部同士を接合して形成されている。
【００１３】
さらに、本発明の放射線遮蔽マットでは、前記入口部が、前記第１シート及び前記第２シートが相互に重ね合わせられる対面側に形成され、前記放射線遮蔽機能体の取り出しを不能にされている。
【００１４】
さらに、本発明の放射線遮蔽マットでは、前記入口部が、前記第１シート及び前記第２シートが相互に重ね合わせられる対面側とは反対側に形成され、前記放射線遮蔽機能体を取り出して入れ替え可能にされている。
【００１５】
さらに、本発明の放射線遮蔽マットでは、前記放射線遮蔽機能体が、放射線を遮蔽する性質を有する材料の板状部材からなる放射線遮蔽機能板である。
【００１６】
さらに、本発明の放射線遮蔽マットでは、前記放射線遮蔽機能板が、前記縦方向における少なくとも１箇所で分割された複数の板部材から構成され、これらの分割板が、その分割された側の端部に形成された継ぎ手により旋回可能に連結され、前記放射線遮蔽マットが前記縦方向にも折り曲げ可能とされている。
【００１７】
さらに、本発明の放射線遮蔽マットでは、前記第１シート及び前記第２シートの前記各袋部に収納される前記放射線遮蔽機能板が、鉛、鉄、銅、亜鉛、タングステンのいずれかの素材からなる金属板若しくはこれら金属の粒子を樹脂又はゴムに分散した複合体で形成されている。
【００１８】
さらに、本発明の放射線遮蔽マットでは、前記放射線遮蔽機能体が、金属の粉末又は粒状物を前記第１シート及び前記第２シートの前記各袋部に詰め込まれて構成され、前記第１シート及び前記第２シートの前記各袋部に設けられた金属粉末又は粒状物を詰め込む前記入口部には落ちこぼれを防止する閉鎖手段が設けられている。
【００１９】
さらに、本発明の放射線遮蔽マットでは、前記放射線遮蔽機能体として使用する前記金属板若しくは前記金属粉末又は粒状物が、原子力関係施設から出る廃材を加工処理したものである。
【発明の効果】
【００２０】
本発明の放射線遮蔽マットによると、第１シートと第２シートとにおける多数の袋部が、重ね合わされる相手のシートに対して位相をずらして形成され、それら袋部に放射線遮蔽機能体が収納された第１シートと第２シートとが重ね合わせられることで、各シートの各放射線遮蔽機能体が、重ね合わされる相手側シートの放射線遮蔽機能体間を相互に塞ぐように位置することから、該マットが全面的に放射線を遮蔽すると共に、余裕代の形成により屈曲即ち折り曲げも可能であり、しかも、構造が非常に簡単であるため製作費用が安価である、という優れた効果を奏する。
【００２１】
また、本発明の放射線遮蔽マットによると、一方のシートの各袋部に収納された放射線遮蔽機能体と他方のシートの各袋部に収納された放射線遮蔽機能体との側縁同士が部分的に重なり合うように放射線遮蔽機能体の幅寸法及びその配列間隔が設定されているので、この放射線遮蔽マットを折り曲げた状態で使用しても第１シートに保持された放射線遮蔽機能体と第２シートに保持された放射線遮蔽機能体との間から放射線が通過することがなく、簡易な構造ながらも優れた放射線遮蔽効果を得ることができる。
【００２２】
また、本発明の放射線遮蔽マットによると、各シートの袋部に収納された放射線遮蔽機能体が少なくとも１ｍｍ以上の厚さを有していることから、簡易な放射線遮蔽マットながら放射線遮蔽能力が非常に高く、作業者などを被爆から有効に防護することができる。
【００２３】
また、本発明の放射線遮蔽マットによると、第１シートと第２シートにおいて、放射線遮蔽機能体を収納する多数の袋部が、可撓性を有する２枚のシート状素材を重ね合わせ、重ね合わされた２枚のシート状素材における放射線遮蔽機能体収納予定領域の周囲すべて若しくは一部を接合していると共に、横方向に延びる入口部を袋部の少なくとも一部に形成し、その入口部から放射線遮蔽機能体を収納するようにしたので、袋部の形成及びこの袋部への放射線遮蔽機能体の収納が非常に容易であり、その結果、各シートの製造コストが安価となることからこの放射線遮蔽マットを低価格で提供することができる。
【００２４】
また、本発明の放射線遮蔽マットによると、放射線遮蔽機能体を各袋部に入れる入口部が、相互に重ね合わされる第１シートと第２シートの対面側に形成されているので、この放射線遮蔽マットの製作後は放射線遮蔽機能体が各袋部から抜け出ることがない。
【００２５】
また、本発明の放射線遮蔽マットによると、放射線遮蔽機能体を各袋部に入れる入口部が、相互に重ね合わされる第１シートと第２シートの対面する側とは反対側の外側に形成されているので、この放射線遮蔽マットを製作後であっても放射線遮蔽機能体を自由に出し入れすることができる。その結果、この放射線遮蔽マットの使用目的に応じ、材質の異なる放射線遮蔽機能体を組み合わせたりして選択的に適宜の袋部に入れ替えることができることから、１つの放射線遮蔽マットにより線源強度の違いに対応させて遮蔽材の厚み又は種類を変えた使い方ができる。
【００２６】
また、本発明の放射線遮蔽マットによると、放射線遮蔽機能体が、放射線を遮蔽する機能を有する板状部材から形成されているので、各袋部への収納も容易である。
【００２７】
さらに、本発明の放射線遮蔽マットによると、各袋部に収納されている放射線遮蔽機能板が、縦方向において少なくとも１箇所で分割された複数の板部材から構成され、これら板部材が継ぎ手により相互に旋回可能に連結されていることから、この放射線遮蔽マットが、横方向に屈曲可能であるだけでなく、縦方向にも折り曲げることができるので、複雑な形をした放射線発生機器や放射線発生物を放射線遮蔽マットにより効果的に覆うことができる。
【００２８】
さらに、本発明の放射線遮蔽マットによると、第１シート及び第２シートの各袋部に収納される放射線遮蔽機能板が、鉛、鉄、銅、亜鉛、タングステンのいずれかの素材からなる金属板若しくはこれら金属の粒子を樹脂又はゴムに分散した複合体で形成されていることから、両シートによる各放射線遮蔽機能板の保持態様と相まって、如何なる方法で使用しても高い放射線遮蔽能力を発揮することができる。
【００２９】
さらに、本発明の放射線遮蔽マットによると、放射線遮蔽機能体が金属の粉末又は粒状物により構成されているので、各袋部に鉄板のような板部材を入れた場合に比較して放射線遮蔽マットの表面が柔らかく、従って放射線遮蔽マットの表面に衝撃が加わった場合、その衝撃力を緩和させることができる。
【００３０】
さらに、本発明の放射線遮蔽マットによると、放射線遮蔽機能体として原子力関係の施設から出る金属の廃材を使用することにより資源の再利用を図ることにもなる。
【図面の簡単な説明】
【００３１】
【図１】本発明の第１実施形態に係る放射線遮蔽マットを示す斜視図。
【図２】図１に示される放射線遮蔽マットを組み立てる状態を示す斜視図。
【図３】組み立て状態にある図２の放射線遮蔽マットを３−３線で切断して示す斜視図。
【図４】図１に示される放射線遮蔽マットの一部を破断して内部の構造を示す部分的な平面図。
【図５】図４の放射線遮蔽マットを４−４線で切断して示す断面図。
【図６】本発明の第２実施形態に係る放射線遮蔽マットを示す図１と同様な斜視図。
【図７】図６の放射線遮蔽マットを４−４線で切断して示す断面図。
【図８】本発明の第３実施形態に係る放射線遮蔽マットの一部を示す図３と同様な斜視図。
【図９】本発明の第４実施形態に係る放射線遮蔽マットの一部を示す図３と同様な斜視図。
【図１０】本発明の第５実施形態に係る放射線遮蔽マットの一部を示す斜視図。
【図１１】放射線遮蔽マットの使用例を示す説明図。
【発明を実施するための形態】
【００３２】
以下、本発明に係る放射線遮蔽マットを添付の図に示された好適な実施形態についてさらに詳細に説明する。図１〜図５に示される第１実施形態の放射線遮蔽マット１０Ａは、図２から明らかなようにほぼ同一の大きさと形状をした平面四角形の２枚のシート１１、１２を重ねて一体化させることにより形成されている。第１シート１１と第２シート１２とは、同一の構造であるため、第１シート１１の構成を説明し、第２シート１２については図中において第１シート１１の構成部分と同一部分に同一の参照符号を付けて説明を省略する。
【００３３】
第１シート１１は、対向する一対の側縁部１３ａ，１３ｂを備え、この側縁部１３ａ，１３ｂの延びる横方向をＸ、また、横方向Ｘに直交し、他の一対の側縁部１３ｃ，１３ｄに沿う縦方向をＹとすると、横方向Ｘに所定の間隔（寸法ｆ）を開けて形成された、縦方向Ｙに長い多数の袋部１４を備えている。これらの袋部１４は、第１シート１１と第２シート１２とでその形成位置を異にしている。すなわち、図２の一部断面部を拡大して示す図３に示されるように、第１シート１１と第２シート１２とが重ね合わされたとき、一方のシートの各袋部１４が、相手側の他方のシートの隣接する袋部間の間隔部２２に重なるように横方向に位相をずらして形成されている。これらの袋部１４には、鉛、鉄、銅、亜鉛、タングステンのいずれかの素材からなる金属板若しくはこれら素材の粒子を樹脂又はゴムに分散した複合体で形成された、放射線遮蔽機能体が収納されている。この第１実施形態では、放射線遮蔽機能体は、短冊状の板部材であり、従って、以下、放射線遮蔽機能板１５という。
【００３４】
この放射線遮蔽機能板１５の厚みは、それが備える放射線遮蔽性能にもよるが少なくとも約１ｍｍ、若しくはそれ以上であることが好ましい。また、袋部１４に収納される放射線遮蔽機能板１５の幅寸法Ｆ、即ち横方向Ｘの寸法は、袋部１４の横方向Ｘの寸法とほぼ同じか、又は僅かに小さく、従って、放射線遮蔽機能板１５は袋部１４に緊密に収納され、放射線遮蔽機能板１５が袋部１４内で自由に移動することはない。また、隣接する袋部１４との間隔寸法ｆと放射線遮蔽機能板１５の幅寸法Ｆとの関係は、Ｆ＜ｆである。他方、縦方向Ｙにおける袋部１４の長さは、第１シート１１の対向する側縁部１３ａ，１３ｂ間の長さより短く、従って横方向Ｘに並ぶ各袋部１４の一方の端部１４ａを通る仮想の線とこの仮想線に隣接する側縁部１３ａとの間隔、及び同様に各袋部１４の他方の端部１４ｂを通る仮想の線とこの仮想線に隣接する側縁部１３ｂとの間隔が余裕代１６となる。
【００３５】
すなわち、第１シート１１と第２シート１２とには、各袋部１４の両端部側に所定幅の余裕代１６が形成されている。第１シール１１と第２シール１２とは、これら余裕代１６のうち、横方向Ｘに延びる側縁部１３ａ，１３ｂに沿う帯状領域を相互に溶着して一体化されて放射線遮蔽マット１０Ａとされるので、各シート１１，１２の余裕代１６がそのまま放射線遮蔽マット１０Ａの余裕代となる。
【００３６】
この第１実施形態に係る放射線遮蔽マット１０Ａは、前述したように２枚のシート、即ち第１シート１１と第２シート１２とが重ね合わされ、各側縁部１３ａ，１３ｂに沿う帯状領域同士を相互に溶着することにより構成されるので、それらを重ね合わせると、第１シート１１の各袋部１４に収納された放射線遮蔽機能板１５は、第１シート１１に重なる第２シートの隣接する袋部１４の間（間隔部２２）に重なることになる。言い換えれば、第１シート１１及び第２シート１２に保持されているそれぞれ多数の放射線遮蔽機能板１５は、それぞれのシート１１，１２について位相をずらして形成された各袋部１４に収納されていることにより、一方のシート１１又は１２に保持された多数の放射線遮蔽機能板１５が、他方のシート１１又は１２に保持された多数の放射線遮蔽機能板１５とその配列がずれる。その結果、２つのシート１１，１２を重ねることにより多数の放射線遮蔽機能板１５が、放射線遮蔽マット１０Ａの全面に隙間なく配列されることになる。この状態は、放射線遮蔽マット１０Ａの一部を破断して示す図４に明瞭に示されている。
【００３７】
各シート１１，１２に保持されている放射線遮蔽機能板１５の幅寸法Ｆは、隣接する袋部１４同士の間隔部２２の幅寸法ｆより大きいので、第１シート１１と第２シート１２とが、前述したようにこれら各シートにおける多数の放射線遮蔽機能板１５の配列位相がずれるように重ねられても、一方のシート１１に保持されている放射線遮蔽機能板１５の縦方向Ｙに延びる側縁と他方のシート１２に保持されている放射線遮蔽機能板１５の縦方向Ｙに延びる側縁とが部分的に重なり合う。従って、放射線遮蔽マット１０Ａを広げて平坦にしたときや円筒状に丸めたときでも、２つのシート１１，１２にそれぞれ保持された多数の放射線遮蔽機能板１５が全体として隙間なく配列されていることになり、その結果、放射線遮蔽マット１０Ａの表面に当たる放射線はすべて遮蔽される。
【００３８】
ところで、重ね合わされた２枚の第１シート１１と第２シート１２とは、少なくとも対向する側縁部１３ａ，１３ｂに沿う帯状領域同士、具体的には第１シート１１における一方の側縁部１３ａに沿う帯状領域と第２シート１２における一方の側縁部１３ａに沿う帯状領域とが溶着され、また、第１シート１１における他方の側縁部１３ｂに沿う帯状領域と第２シート１２における他方の側縁部１３ｂに沿う帯状領域とが溶着されて一体化されている。図中、これら溶着された帯状領域は、溶着部１７として示されている。これにより、前述した第１シート１１に保持された多数の放射線遮蔽機能板１５と第２シート１２に保持された多数の放射線遮蔽機能板１５との位置関係は、放射線遮蔽マット１０Ａが如何なる態様で使用されても変わることはない。なお、前述の放射線遮蔽マット１０Ａは、第１シート１１と第２シート１２とを一体化するために各シートにおける対向する一対の側縁部１３ａ，１３ｂについて、即ち第１シート１１と第２シート１２のそれぞれ一方の側縁部１３ａに沿う帯状領域同士、及び第１シート１１と第２シート１２のそれぞれ他方の側縁部１３ｂに沿う帯状領域同士を溶着する例についてのものであるが、本発明の放射線遮蔽マットでは、該放射線遮蔽マットの強度上、対向する他の一対の端縁部１３ｃ、１３ｄに沿う帯状領域ついても同様に溶着しておくことが好ましい。
【００３９】
次に、このような放射線遮蔽マット１０Ａの作り方について説明する。この放射線遮蔽マット１０Ａは、大きさと形状がほぼ同一の２つのシート１１，１２を重ね合わせて構成されていることは前述したとおりであるが、これらのシート１１，１２それ自体も図３〜図５に示されるように２枚のシート状素材１８，１９を重ね合わせて形成されている。このように第１シート１１及び第２シート１２のそれぞれは、２枚のシート状素材１８，１９を重ね合わせたものであるので、各シート状素材１８，１９の大きさや形状は、シート１１，１２と同じであることは云うまでもない。これらシート状素材１８，１９は、熱で相互に溶着する材料などで形成されていることが好ましい。このような素材としては、不織布に樹脂を含浸させた素材、或いは不織布を樹脂でラミネートした素材などを挙げることができる。このような２枚のシート状素材１８，１９において、その一方の表面には、前述したように縦方向Ｙにおける両サイドに所定幅の余裕代１６を存在させるようにして放射線遮蔽板１５を収納するための袋部１４の形成予定位置が下書き線（図示せず）により描かれる。
【００４０】
次いで、２枚のシート状素材１８，１９が重ね合わせられると、これらのシート状素材１８，１９は、前述した下書き線上を所定間隔でミシン目状にスポット溶着され、これにより２枚のシート状素材１８，１９が接合すると同時に所定の位置に多数の袋部１４が形成される。図２〜図４において符号２０は、袋部１４を形成するためにミシン目状にスポット溶着されている溶着部を示している。その後、一方のシート状素材１８において、これら各袋部１４の長手方向（縦方向Ｙ）における一方の端部１４ａに近い部分に入口部２１を形成するように横方向Ｘに延びるスリットが入れられる。そして、この入口部２１から放射線遮蔽機能板１５の一端を挿入し、袋部１４に入りきらない放射線遮蔽機能板１５の他端側については入口部２１から袋部１４の端縁１４ａまでの袋面を強制的に持ち上げて被せるようにし、放射線遮蔽機能板１５全部を袋部１４内に収納する。
【００４１】
このようにして各袋部１４に放射線遮蔽機能板１５が収納された第１シート１１が形成され、そして、同様な方法により第２シート１２も形成される。その後、これら２つのシート１１，１２は、放射線遮蔽機能板１５を袋部１４に入れる入口部２１が形成されている面を向かい合わせて重ね合わされ、前述したように第１シート１１と第２シート１２それぞれにおける一方の側縁部１３ａに沿う帯状領域同士、及び第１シート１１と第２シート１２それぞれにおける他方の側縁部１３ｂに沿う帯状領域同士を溶着して一体化される。この実施形態に係る放射線遮蔽マット１０Ａは、前述したようにして製作されることから、非常に製作が容易であり、従って安価な生産コストでかつ高い生産性を得ることができる。
【００４２】
この放射線遮蔽マット１０Ａは、放射線を出す機器を包囲したり、或いは作業者の身体に巻き付けたりして使用される。その際、この放射線遮蔽マット１０Ａに保持されている多数の放射線遮蔽機能板１５が、２つのシートのそれぞれに所定の間隔を開けて形成された多数の袋部１４に収納されていること、及び放射線遮蔽機能板１５を収納した袋部１４の端部１４ａ，１４ｂと側縁部１３ａ，１３ｂとの間に余裕代１６を形成していることから放射線遮蔽マット１０Ａは、横方向Ｘに丸めることができるので放射線を発する機器を取り囲むように設置するのが容易で、また作業者の身体に巻き付けたり、肩から掛けるようにして身体の一部を覆うようにして使用することも容易にできる。さらに、この放射線遮蔽マット１０Ａを丸めた状態で使用しても各シートにおいて間隔を開けて配列された状態で保持されている放射線遮蔽機能板１５が、その位相をずらすように２つのシート１１，１２を重ね合わせて一体化され、これにより重ね合わされる相手側シートの放射線遮蔽機能板間を相互に塞ぐように位置することから、マットの全面で放射線を完全に遮蔽することができ、簡易な構造でありながらも優れた放射線遮蔽効果を得ることができる。また、この放射線遮蔽マット１０Ａによれば、不使用時にも丸めたり、折り畳んだりしておくことができるので、保管も容易である。
【００４３】
前述した実施形態に係る放射線遮蔽マット１０Ａでは、第１シート１１及び第２シート１２が、２枚のシート状素材を重ね合わせ、所定部分をミシン目状にスポット溶着することにより袋部１４を形成したが、本発明ではこのような製作方法に限定されるものではなく、縫製によって２枚のシート状素材の所定箇所を縫い合わせることにより袋部を形成してもよい。また、シート状素材と同じ素材で、袋部を形成できる大きさと形状の端切れを多数準備し、これらの端切れを所定の間隔で１枚のシート状素材の表面に並べ、各端切れの周囲をシート状素材に溶着又は縫製により固定することにより、多数の袋部を備えるシートを形成することもできる。
【００４４】
次に、図６に示される本発明の第２実施形態に係る放射線遮蔽マット１０Ｂについて説明する。第２実施形態の放射線遮蔽マット１０Ｂが第１実施形態の放射線遮蔽マット１０Ａと相違する部分は、第１シート１１と第２シート１２におけるそれぞれの袋部１４に収納される放射線遮蔽機能板１５にある。この放射線遮蔽機能板１５以外の構成は、両実施形態とも同じであるので、第２実施形態の放射線遮蔽マット１０Ｂを示す図６及び図７において、第１実施形態の放射線遮蔽マット１０Ａと同一又は相当する構成部分には同一の参照符号を付し、明細書におけるその詳細な説明は省略する。第２実施形態の放射線遮蔽マット１０Ｂは、第１実施形態の放射線遮蔽マット１０Ａと同様にそれぞれ多数の袋部１４を備える第１シート３１と第２シート３２とを重ね合わせ、横方向Ｘに延びる一方の側縁部１３ａ同士、及び他方の側縁部１３ｂ同士をそれぞれ溶着などで接合して構成されている。
【００４５】
この放射線遮蔽マット１０Ｂでは、第１シート３１の各袋部１４と第２シート３２の各袋部１４とに収納される放射線遮蔽機能板３３が、第１板部材３３ａと第２板部材３３ｂとにより構成されている。これら各板部材３３ａ，３３ｂは、第１実施形態の放射線遮蔽マット１０Ａにおける両シート１１，１２に保持されている放射線遮蔽機能板１５をその全長（縦方向Ｙの長さ）のほぼ半分の位置で分割したものであり、これらの板部材３３ａ，３３ｂの分割端部には、フックのようにＣ形又はＵ形に折り返されて形成された継ぎ手３４ａ，３４ｂが形成されている。２つの板部材３３ａ，３３ｂは、この継ぎ手３４ａ，３４ｂによりあたかも一枚の放射線遮蔽機能板３３の如く連結されている。また、この継ぎ手３４ａ，３４ｂは、該継ぎ手による連結中心を軸に各板部材３３ａ，３３ｂが相互に旋回できるような形状で形成されている。
【００４６】
これにより、２つの板部材３３ａ，３３ｂから構成される放射線遮蔽機能板３３は、袋部１４の内部に収納されとき、第１シート１１及び第２シート１２に保持された各放射線遮蔽機能板３３すべてが縦方向Ｙにおける同じ位置に、継ぎ手３３ａ，３３ｂで構成された連結部が位置し、従って各放射線遮蔽機能板３３の各連結部は、横方向Ｘに延びる同じ仮想の線上に整列しているので、放射線遮蔽マット１０Ｂをその位置で縦方向Ｙにも折り曲げることができる。これにより、この放射線遮蔽マット１０Ｂは、横方向Ｘに丸めたり折り曲げたりできるだけではなく、縦方向Ｙにも折り曲げることができることから、種々の外形をした放射線発生機器や放射線発生物を効果的に覆うことにより放射線を有効に遮蔽することができる。
【００４７】
なお、図６及び図７に示される第２実施形態の放射線遮蔽マット１０Ｂでは、各放射線遮蔽機能板３３が２つに分割された板部材３３ａ，３３ｂを継ぎ手３４ａ，３４ｂにより旋回可能に連結したものであったが、本発明ではこのような例に限定されるものではなく、各放射線遮蔽機能板を２つ以上の板部材に分割し、前述した構造の継ぎ手で連結した場合でもよい。このように複数の継ぎ手を備える放射線遮蔽機能板を各袋部に収納した放射線遮蔽マットでは、放射線発生機器などの外形により有効に沿わせてこれを覆うことができるので、放射線の遮蔽効果を向上することができる。また、板部材３３ａ，３３ｂを構成する各放射線遮蔽機能板３３の分割位置、即ち連結部の位置は、放射線遮蔽機能板３３の長手方向における任意の位置でよく、放射線発生機器などの外形に基づいて適宜に設計することができる。
【００４８】
図８には、更に別な第３実施形態に係る放射線遮蔽マット１０Ｃが部分的に示されている。第３実施形態の放射線遮蔽マット１０Ｃが第１実施形態の放射線遮蔽マット１０Ａと相違する部分は、各袋部１４に放射線遮蔽機能板１５，３３を入れるスリット状の入口部２１が、第１シート１１と第２シート１２の対面側、即ち内側に形成されているのではなく、その反対側の外側に形成されていることにある。このような放射線遮蔽マット１０Ｃによれば、放射線遮蔽マット１０Ｃの製作後にも各袋部１４への放射線遮蔽機能板１５，３３を出し入れすることができるので、この放射線遮蔽マット１０Ｃの使用目的に応じ、材質の異なる放射線遮蔽機能板１５，３３を組み合わせたりして選択的に適宜の袋部１４に入れ替えることができる。これにより、１つの放射線遮蔽マット１０Ｃにより線源強度の違いに対応させて遮蔽材の厚み又は種類を変えた使い方ができる。
【００４９】
図９には、更に別な第４実施形態に係る放射線遮蔽マット１０Ｄが部分的に示されている。第４実施形態の放射線遮蔽マット１０Ｄが第３実施形態の放射線遮蔽マット１０Ｃと相違する部分は、第１シート１１と第２シート１２の対面側とは反対側の外側に形成されているスリット状の入口部２１に、該入口部２１を閉鎖するための面ファスナー２３が設けられている、点にある。面ファスナーそれ自体は、既に公知のものであるのでこの構成を簡単に説明すると、この実施形態では、表面にフック状起毛が形成され、かつ入口部２１を覆うことができる大きさの押さえ布２３ａの一方の辺部分を袋部１４の外面における入口部２１の長さ方向に沿う側縁部近傍に固着し、入口部２１を挟んでその反対側の長さ方向に沿う側縁部近傍に、表面にループ状起毛が密集した布片２３ｂを張りつけて構成されている。これにより、入口部２１から放射線遮蔽機能板１５，３３を入れた後に、押さえ布２３ａの他方の辺部分を布片２３ｂに押し付けることにより起毛同士が絡み合って入口部２１が閉鎖される。このような放射線遮蔽マット１０Ｄによれば、放射線遮蔽マット１０Ｄの各袋部１４に放射線遮蔽機能板１５，３３を収納したとき、該放射線遮蔽機能板１５，３３が何らかの原因で入口部２１から抜け出るのを防止することができる。
【００５０】
前述した第１〜第４実施形態における各放射線遮蔽マット１０Ａ，１０Ｂ，１０Ｃ，１０Ｄでは、放射線遮蔽機能体としての放射線遮蔽機能板１５，３３が、鉛、鉄、銅、亜鉛、タングステンのいずれかの素材からなる金属板若しくはこれら素材の粒子を樹脂又はゴムに分散した複合体で形成されたものであったが、本発明では、かかる素材に限定されるものではなく、これらの他に金属の廃材、特に原子力関係の施設から出る金属の廃材を圧縮、溶融、変形、或いは成型などさまざまな手段を用いて短冊状に加工したものを使用することもできる。このような原子力関係の施設から出る金属の廃材を使用することにより資源の再利用を図ることにもなる。また、紐状に形成された鉛、即ち「鉛毛」と言われている材料を束ね、必要があれば成型して板状に形成したものも使用することができる。
【００５１】
更に、図１０には、本発明の第５実施形態に係る放射線遮蔽マット１０Ｅの一部が示されている。この実施形態に係る放射線遮蔽マット１０Ｅについては、各袋部１４に設けられているスリット状の入口部２１にファスナー２４を付けて閉鎖できるようにしたものである。前述したように、第１〜第４実施形態に係る放射線遮蔽マット１０Ａ〜１０Ｄは、放射線遮蔽機能体として短冊状に成型された板状体を用いる場合の例についてのものであったが、本発明では、放射線遮蔽機能体それ自体が板状の形を保っているようなものに限定されるものではなく、金属の粉末や粒状物を直接各袋部１４に詰め込んで放射線遮蔽機能体とすることもできる。しかし、金属の粉末や粒状物を各袋部１４に直接詰め込んで放射線遮蔽体とする場合には、入口部２１からのこぼれ落ちを防ぐ必要があるので、スリット状の入口部２１にファスナー２４を付けて完全閉鎖できるようにしたのが、該当部分、即ち袋部の入口部２１を図１０に部分的に示している第５実施形態である。図１０において、符号２５は、各袋部１４内に詰め込まれた金属の粉末や粒状物を示している。もちろん、各袋部１４に金属の粉末や粒状物を詰め込んだ後にこの入口部２１を溶着、縫製、或いは公知のあらゆる閉鎖手段により開け閉め不能に閉鎖してもよい。このような金属の粉末や粒状物を各袋部１４に詰め込んで放射線遮蔽機能体とすると、各袋部に鉄板のような板部材を入れた場合に比較して放射線遮蔽マットの表面が柔らかく、従って放射線遮蔽マットの表面に衝撃が加わった場合、その衝撃力を緩和させることができる。
【００５２】
図１１には、前述した各実施形態の放射線遮蔽マット１０Ａ，１０Ｂ，１０Ｃ，１０Ｄ，１０Ｅが、放射線発生機器３５からの放射線を遮蔽する幾つかの使用例が示されている。例えば、図１１（ａ）は、放射線発生機器３５を上から覆うように放射線遮蔽マット１０Ａ，１０Ｂ，１０Ｃ，１０Ｄ，１０Ｅを掛けて該放射線発生機器３５から発生する放射線を遮蔽する使用例を示している。この時、この放射線遮蔽マット１０Ａ，１０Ｂ，１０Ｃ，１０Ｄ，１０Ｅは、前述したように横方向Ｘにおける任意の位置で自由に屈曲できることから放射線発生機器３５の両側方に垂れ下がるように全体を湾曲させてこれを覆うことができる。このような使用例の他に、放射線発生機器３５の側部周囲をこの放射線遮蔽マット１０Ａ，１０Ｂ，１０Ｃ，１０Ｄ，１０Ｅで囲んで該放射線発生機器３５から発生する放射線を遮蔽することもできる。
【００５３】
また、図１１（ｂ）は、放射線発生機器２２の上にこの放射線遮蔽マット１０Ａ，１０Ｂ，１０Ｃ，１０Ｄ，１０Ｅをジグザグ状に折り畳んで乗せることにより該放射線発生機器３５の上部から発生する放射線を遮蔽する使用例を示している。また、図１１（ｃ）は、放射線遮蔽マット１０Ｂを放射線遮蔽機能板３３における分割された板部材３３ａ，３３ｂの連結部で屈曲して、外形の複雑な放射線発生器機３５をその外形形状に沿わせて配置することにより該放射線発生機器３５から発生する放射線を遮蔽する使用例を示している。さらに、図１１（ｄ）は、放射線発生機器３５の近くで適当な上部構造体からカーテンのように放射線遮蔽マット１０Ａ，１０Ｂ，１０Ｃ，１０Ｄ，１０Ｅを吊り下げることにより該放射線発生機器３５から発生する放射線を遮蔽する使用例を示している。
【００５４】
以上説明したように、本発明の放射線遮蔽マットによれば、第１シートと第２シートとにおける多数の袋部が、重ね合わされる相手のシートに対して位相をずらして形成され、それら袋部に放射線遮蔽機能体が収納されたそれら第１シートと第２シートとが重ね合わせられることで、各シートの各放射線遮蔽機能体が、重ね合わされる相手側シートの放射線遮蔽機能体間を相互に塞ぐように位置することから、該マットが全面的に放射線を遮蔽すると共に、余裕代の形成により屈曲即ち折り曲げも可能であり、しかも、構造が非常に簡単であるため製作費用が安価である、という優れた効果を奏する。
【符号の説明】
【００５５】
１０Ａ，１０Ｂ，１０Ｃ，１０Ｄ，１０Ｅ    放射線遮蔽マット
１１    第１シート
１２    第２シート
１３ａ，１３ｂ    側縁部
１４    袋部
１４ａ，１４ｂ    縦方向の端部
１５，３３    放射線遮蔽機能板
１６    余裕代
１７    溶着部
１８，１９    シート状素材
２０    溶着部
３３ａ，３３ｂ    分割された放射線遮蔽機能板の板部材
３４ａ，３４ｂ    継ぎ手
【図１】
2011247666.tif 000003
【図２】
2011247666.tif 000004
【図３】
2011247666.tif 000005
【図４】
2011247666.tif 000006
【図５】
2011247666.tif 000007
【図６】
2011247666.tif 000008
【図７】
2011247666.tif 000009
【図８】
2011247666.tif 000010
【図９】
2011247666.tif 000011
【図１０】
2011247666.tif 000012
【図１１】
2011247666.tif 000013